(57)【要約】【課題】ケースの大きさにかかわらず、ダイヤルキーを微小回転入力操作し、ダイヤルキーの微小回転角度に応じてきめ細かく被制御機器を制御可能なリモートコントロール送信機を提供する。【解決手段】回転操作する円環状操作部を、筐体の平面の輪郭全体を覆う外形とし、入力スイッチと表示部を円環状操作部の中心側開口内の筐体に取り付けるので、リモートコントロール送信機の全体を小型化しても、円環状操作部を微小回転操作が可能な大きさとすることができる。【選択図】図１
2010062683.tif 000002
【特許請求の範囲】
【請求項１】
筐体と、
筐体に回転自在に取り付けられる操作部と、
操作部の回転中心軸回りの回転角度を検出する回転検出手段と、
被制御機器を制御する複数の制御内容を表示する表示部と、
回転検出手段が検出した回転角度から、被制御機器を制御する制御データを生成する操作信号生成手段と、
被制御機器へ制御データを送信する送信手段とを備え、
操作部は、筐体の平面の輪郭全体を覆うように筐体に取り付けられ、
操作部の平面の輪郭内の筐体に表示部が取り付けられることを特徴とするリモートコントロール送信機。
【請求項２】
筐体の平面の輪郭が円形に形成され、
筐体の円形の輪郭に沿って形成されたガイド部により、操作部が回転自在に案内されることを特徴とする請求項１に記載のリモートコントロール送信機。
【請求項３】
筐体と、
筐体に回転自在に取り付けられる円環状操作部と、
円環状操作部の回転中心軸回りの回転角度を検出する回転検出手段と、
被制御機器を制御する複数の制御内容を表示する表示部と、
筐体に取り付けられ、入力操作により表示部に表示される複数の制御内容から特定の制御内容を選択する入力スイッチと、
入力スイッチの入力操作により特定の制御内容が選択された制御モードで、回転検出手段が検出した回転角度から、被制御機器を選択された制御内容で制御する制御データを生成する操作信号生成手段と、
被制御機器へ制御データを送信する送信手段とを備え、
円環状操作部は、筐体の平面の輪郭全体を覆うように筐体に取り付けられ、
円環状操作部の回転中心側開口に露出する筐体の平面に、入力スイッチと表示部が取り付けられることを特徴とするリモートコントロール送信機。
【請求項４】
筐体は、大径円板部と、大径円板部の平面側上方で大径円板部と同一中心軸線上に配置される小径円板部とを有し、
円環状操作部は、小径円板部の外周縁に沿って下向きに形成された第１リングガイド部と大径円板部の外周縁に沿って上向きに形成された第２リングガイド部との間に、円環状操作部の回転中心軸回りで回転自在に取り付けられることを特徴とする請求項３に記載のリモートコントロール送信機。
【請求項５】
筐体に、同一中心軸回りで独立して回転自在に取り付けられる２以上の円環状操作部と、
各円環状操作部毎に回転中心軸回りの回転角度を検出する複数の回転角検出手段とを備え、
複数の円環状操作部の最も大径の円環状操作部が、筐体の平面の輪郭全体を覆うとともに、最も小径の円環状操作部の中心側開口に露出する筐体の平面に、入力スイッチと表示部が取り付けられることを特徴とする請求項３に記載のリモートコントロール送信機。
【請求項６】
円環状操作部に発光表示手段が搭載され、発光表示手段は、入力操作により選択される入力内容毎に異なる色で発光することを特徴とすることを特徴とする請求項３に記載のリモートコントロール送信機。
【請求項７】
回転検出手段は、円環状操作部の回転中心軸回りの回転方向と回転角度を検出し、
操作信号生成手段は、被制御機器を回転動作させる制御内容が選択された制御モードで、回転検出手段が検出した回転方向と回転角度とから、被制御機器を回転動作させる制御データを生成することを特徴とする請求項３に記載のリモートコントロール送信機。
【請求項８】
円環状操作部に、被制御機器を回転動作させる制御内容が選択された制御モードで、被制御機器の回転動作方向を表示するガイド表示手段が搭載され、
前記制御モードで、ガイド表示手段が表示する回転動作方向に円環状操作部を回転操作したときに、操作信号生成手段は、回転角検出手段が検出した回転方向と回転角度とから、ガイド表示手段が表示する回転動作方向に被制御機器を回転制御する制御データを生成することを特徴とする請求項７に記載のリモートコントロール送信機。
【請求項９】
送信手段は、制御データをＲＦ信号により被制御機器へ送信するＲＦ送信モジュールであることを特徴とする請求項３乃至８のいずれか１項に記載のリモートコントロール送信機。
【発明の詳細な説明】
【技術分野】
【０００１】
本発明は、被制御機器に制御データを送信して制御するリモートコントロール送信機に関し、更に詳しくは、回転操作に応じた制御データで被制御機器を制御するリモートコントロール送信機に関する。
【背景技術】
【０００２】
従来、ＤＶＤレコーダなどの映像再生機器を遠隔制御するリモートコントロール送信機として、ジョグダイヤルといわれる円環状のダイヤルキーをケースへ回転自在に取り付け、ダイヤルキーの回転操作に応じて、ＤＶＤレコーダに記録された録画をコマ送り再生や変速再生制御するリモートコントロール送信機が知られている（特許文献１）。
【０００３】
このようなリモートコントロール送信機では、液晶パネルなどの表示部に制御内容（例えば、電源のＯＮ、ＯＦＦ、早送り、巻き戻し、再生など）を表示し、ダイヤルキーと別にケースに取り付けられた決定キーでいずれかの制御内容を選択した後、例えば、「再生」が選択されると、ダイヤルキーの回転操作による回転角度に応じた制御データをＤＶＤレコーダへ送信し、録画のコマ送り再生制御を行っている。
【０００４】
また、液晶パネルとダイヤルキーがケースの側面から出没自在となるように取り付けられたリモートコントロール送信機も知られている（特許文献２）。このリモートコントロール送信機では、制御する特定の被制御機器を選択する際、例えば、複数の被制御機器から制御しよう被制御機器を選択する場合に、ケースの側面から液晶パネルとダイヤルキーを突出させ、液晶パネルに表示する複数の被制御機器から、ダイヤルキーを回転操作して制御する被制御機器にカーソルを移動させ、ケースに取り付けられた決定キーを入力操作してカーソルに表示される被制御機器を選択させている。
【０００５】
【特許文献１】特開２００７−３６５０８号公報（第３頁３６行乃至５０行、第４頁２６行乃至３２行、図１、図３）
【特許文献２】特開２００５−１５９６３９号公報（要約、図５）
【発明の開示】
【発明が解決しようとする課題】
【０００６】
しかしながら、特許文献１に示されるリモートコントロール送信機は、縦長のケースの平面に、複数の制御内容を表示する表示部とダイヤルキーとを、上方と下方に分けて取り付けるので、ケース全体の小型化に限界があり、また、表示部とダイヤルキーが重ならないようにケースを小型化すると、ダイヤルキーの外径も小さくせざるを得ず、ダイヤルキーの微小回転角度でダイヤルキーを回転させることが困難となり、きめ細かい回転操作で被制御機器を制御することができなかった。
【０００７】
液晶パネルとダイヤルキーをケースの側面から出没させる特許文献２に記載のリモートコントロール送信機にあっても、使用しない状態でダイヤルキーをケース内に収容するので、少なくともその外径はケースより小さく、同様にケースが小型化すれば、ダイヤルキーの微小回転操作に応じて被制御機器を制御することができなかった。
【０００８】
更に、いずれのリモートコントロール送信機も、ダイヤルキーと表示部が離れているので、ダイヤルキーの回転操作方向や回転操作角度と表示部に表示させる制御内容とは無関係であり、ダイヤルキーの回転操作方向や回転操作角度に関連づけて、制御内容を表示し、違和感なくダイヤルキーの操作を案内させるものではなかった。
【０００９】
本発明は、このような従来の問題点を考慮してなされたものであり、ケースの大きさにかかわらず、ダイヤルキーを微小回転操作し、ダイヤルキーの微小回転角度に応じてきめ細かく被制御機器を制御可能なリモートコントロール送信機を提供することを目的とする。
【００１０】
また、ダイヤルキーの回転操作する回転操作方向や回転角度に一致させて、その回転操作によって制御される被制御機器の回転方向や回転角度を表示部に表示することができ、表示部で制御しようとする回転動作を確認しながら、違和感なくダイヤルキーを回転操作することが可能なリモートコントロール送信機を提供することを目的とする。
【課題を解決するための手段】
【００１１】
上述の目的を達成するため、請求項１のリモートコントロール送信機は、筐体と、筐体に回転自在に取り付けられる操作部と、操作部の回転中心軸回りの回転角度を検出する回転検出手段と、被制御機器を制御する複数の制御内容を表示する表示部と、回転検出手段が検出した回転角度から、被制御機器を制御する制御データを生成する操作信号生成手段と、被制御機器へ制御データを送信する送信手段とを備え、操作部は、筐体の平面の輪郭全体を覆うように筐体に取り付けられ、操作部の平面の輪郭内の筐体に表示部が取り付けられることを特徴とする。
【００１２】
操作部は、筐体の平面の輪郭全体を覆う外形で、リモートコントロール送信機の全体を小型化しても、操作部を微小回転操作が可能な大きさとすることができる。
【００１３】
表示部が操作部の平面の輪郭内の筐体に取り付けられるので、表示部の表示を見ながら操作部の回転操作を行うことかできる。
【００１４】
請求項２のリモートコントロール送信機は、筐体の平面の輪郭が円形に形成され、
筐体の円形の輪郭に沿って形成されたガイド部により、操作部が回転自在に案内されることを特徴とする。
【００１５】
操作部は、回転中心に操作部を支持する回転軸を配置することなく、筐体の円形の輪郭に沿って形成されたガイド部により、操作部が回転自在に取り付けられる。
【００１６】
請求項３のリモートコントロール送信機は、筐体に回転自在に取り付けられる円環状操作部と、円環状操作部の回転中心軸回りの回転角度を検出する回転検出手段と、被制御機器を制御する複数の制御内容を表示する表示部と、筐体に取り付けられ、入力操作により表示部に表示される複数の制御内容から特定の制御内容を選択する入力スイッチと、入力スイッチの入力操作により特定の制御内容が選択された制御モードで、回転検出手段が検出した回転角度から、被制御機器を選択された制御内容で制御する制御データを生成する操作信号生成手段と、被制御機器へ制御データを送信する送信手段とを備え、円環状操作部は、筐体の平面の輪郭全体を覆うように筐体に取り付けられ、円環状操作部の中心側開口に露出する筐体の平面に、入力スイッチと表示部が取り付けられることを特徴とする。
【００１７】
入力スイッチと表示部が円環状操作部の中心側開口内の筐体に取り付けられるので、円環状操作部は、筐体の平面の輪郭全体を覆う外形で、リモートコントロール送信機の全体を小型化しても、円環状操作部を微小回転操作が可能な大きさとすることができる。
【００１８】
制御内容を表示する表示部が、回転操作を行う円環状操作部の中心側開口内に取り付けられるので、表示部の表示を見ながら回転操作を行うことかできる。
【００１９】
請求項４のリモートコントロール送信機は、筐体が、大径円板部と、大径円板部の平面側上方で大径円板部と同一中心軸線上に配置される小径円板部とを有し、円環状操作部は、小径円板部の外周縁に沿って下向きに形成された第１リングガイド部と大径円板部の外周縁に沿って上向きに形成された第２リングガイド部との間に、円環状操作部の回転中心軸回りで回転自在に取り付けられることを特徴とする。
【００２０】
円環状操作部は、大径円板部と小径円板部の外周縁に沿って案内されるので、回転中心に円環状操作部を支持する回転軸を配置することなく、筐体に回転自在に取り付けられる。
【００２１】
請求項５のリモートコントロール送信機は、筐体に、同一中心軸回りで独立して回転自在に取り付けられる２以上の円環状操作部と、各円環状操作部毎に回転中心軸回りの回転角度を検出する複数の回転角検出手段とを備え、複数の円環状操作部の最も大径の円環状操作部が、筐体の平面の輪郭全体を覆うとともに、最も小径の円環状操作部の中心側開口に露出する筐体の平面に、入力スイッチと表示部が取り付けられることを特徴とする。
【００２２】
２以上の円環状操作部に複数の被制御機器や、被制御機器を制御する複数の動作を割り当て、回転操作する円環状操作部を選択することにより、制御する被制御機器や制御動作を選択できる。
【００２３】
請求項６のリモートコントロール送信機は、円環状操作部に発光表示手段が搭載され、発光表示手段は、入力操作により選択される制御内容毎に異なる色で発光することを特徴とする。
【００２４】
円環状操作部の発光色によって入力操作により選択される制御内容を確認できる。
【００２５】
請求項７のリモートコントロール送信機は、回転検出手段が、円環状操作部の回転中心軸回りの回転方向と回転角度を検出し、操作信号生成手段は、被制御機器を回転動作させる制御内容が選択された制御モードで、回転検出手段が検出した回転方向と回転角度とから、被制御機器を回転動作させる制御データを生成することを特徴とする。
【００２６】
入力スイッチの入力操作と、円環状操作部の回転操作の回転方向と回転角度とから、異なる制御データが生成される。
【００２７】
請求項８のリモートコントロール送信機は、円環状操作部に、被制御機器を回転動作させる制御内容が選択された制御モードで、被制御機器の回転動作方向を表示するガイド表示手段が搭載され、前記制御モードで、ガイド表示手段が表示する回転動作方向に円環状操作部を回転操作したときに、操作信号生成手段は、回転角検出手段が検出した回転方向と回転角度とから、ガイド表示手段が表示する回転動作方向に被制御機器を回転制御する制御データを生成することを特徴とする。
【００２８】
被制御機器を回転動作させる制御内容が選択された制御モードでガイド表示手段が表示する円環状操作部の回転動作方向に従って円環状操作部を回転操作すると、被制御機器は、ガイド表示手段が表示する回転動作方向に回転制御される。
【００２９】
請求項９のリモートコントロール送信機は、送信手段が、制御データをＲＦ信号により被制御機器へ送信するＲＦ送信モジュールであることを特徴とする。
【００３０】
被制御機器の設置方向を意識せずに、制御できる。送信手段の周囲を円環状操作部が覆っても、制御データの送信は、円環状操作部によって遮断されない。
【発明の効果】
【００３１】
請求項１と請求項３の発明によれば、リモートコントロール送信機の全体を小型化しても、回転操作領域が小さくならず、微小回転角度の回転操作によって、被制御機器をきめ細かく制御できる。
【００３２】
請求項２の発明によれば、操作部の回転中心に回転軸を設けないので、回転軸と干渉することなく、操作部の回転中心側に表示部を取り付けることができる。
【００３３】
また、請求項３の発明によれば、回転操作する円環状操作部の中心に、表示部が配置されるので、制御内容に合わせて、表示部に円環状操作部の回転操作方向や回転角度を表示することができ、表示部の表示により違和感なく回転操作を案内することができる。
【００３４】
請求項４の発明によれば、円環状操作部の回転中心に回転軸を設けないので、回転軸と干渉することなく、円環状操作部の中心側開口内に表示部と入力スイッチを取り付けることができる。
【００３５】
請求項５の発明によれば、被制御機器を制御する複数の動作に応じて、２以上の円環状操作部を割り当てることができる。被制御機器を高速動作で制御する場合には、小径の中心側の円環状操作部を、低速動作で制御する場合には、大径の外側の円環状操作部を回転操作し、制御する動作速度に応じて、最適な外径の円環状操作部で回転操作を行うことができる。
【００３６】
請求項６の発明によれば、円環状操作部を回転操作することにより生成される制御データが、円環状操作部の発光色で確認できる。
【００３７】
請求項７の発明によれば、円環状操作部の回転操作の回転方向と回転角度毎に、被制御機器を制御できる。
【００３８】
請求項８の発明によれば、円環状操作部に、回転操作することによって被制御機器が回転する回転方向が表示されるので、ガイド表示手段の回転操作方向の表示と被制御機器の回転動作方向が一致し、ガイド表示手段による表示によって違和感なく被制御機器を回転動作制御することができる。
【００３９】
請求項９の発明によれば、赤外線により制御データを送信する送信手段と比べて、被制御機器に送信方向を向ける必要がないので、回転中心軸回りで方向性が特定されない円環状操作部でリモートコントロール送信機の外形を形成できる。
【００４０】
また、ＲＦ信号による制御データの送信は円環状操作部により遮断されないので、送信手段の周囲に円環状操作部を配置することができる。
【発明を実施するための最良の形態】
【００４１】
以下、本発明の一実施の形態に係るリモートコントロール送信機１を、図１乃至図６を用いて説明する。図１は、リモートコントロール送信機１の斜視図、図２は、同縦断面図、図３は、リモートコントロール送信機１の上方から見た分解斜視図、図４は、同下方から見た分解斜視図、図５は、大径円板部２２のリングガイド部を示す要部拡大斜視図である。
【００４２】
図３、図４に示すように、リモートコントロール送信機１は、小径円板部２１と大径円板部２２とから構成される絶縁性のケース２と、小径円板部２１と大径円板部２２間に挟まれて取り付けられる円形のプリント配線基板３と、リング状のジョグダイヤル４１と作動リング４２とから構成される円環状操作部４と、小径円板部２１の平面側に操作摘みを臨ませた３個の入力スイッチ１１、１２、１３及び液晶表示素子５とを備えている。
【００４３】
小径円板部２１は、合成樹脂で円板状に形成されたもので、その底面（図２において下面）側から液晶表示素子５が取り付けられ、平面側に連通する長方形状の開口内に液晶表示素子５の表示画面が臨んでいる。また、この長方形状の開口の一側に沿って、３個の入力スイッチ１１、１２、１３の各操作摘み１１ａ、１２ａ、１３ａが平面側に出没自在に取り付けられ、底面側にプリント配線基板３を取り付けると、それぞれプリント配線基板３に実装される入力スイッチ１１、１２、１３上となる部位に取り付けられる。
【００４４】
小径円板部２１の外周縁部２１ａは、円形の輪郭で、その外周縁部２１ａの底面側のやや中心寄りに、外周縁部２１ａの輪郭に沿った９０度間隔の４カ所の位置から、第１リングガイド部となる円弧状のガイド片２１ｂが垂設されている（図４参照）。ジョグダイヤル４１の中心開口４１ａが形成される内周縁の円筒形内側面は、円形の段部４１ｂを介して上側の内側面の内径が、小径円板部２１の外周縁部２１ａの外径よりわずかに長く、下側の内側面の内径が外周縁部２１ａの外径より短く、４片のガイド片２１ｂで形成される円の直径よりわずかに長くなっている。これにより、中心開口４１ａへ上方からを組み入れたジョグダイヤル４１は、段部４１ｂに外周縁部２１ａが当接して、小径円板部２１に対して相対的に上方への移動が規制されるとともに、上側の内側面と下側の内側面が、それぞれ小径円板部２１の外周縁部２１ａとガイド片２１ｂに沿って摺動し、回動自在に案内される。
【００４５】
小径円板部２１の底面には、更に、４カ所の位置に、円筒内面にネジ孔が螺刻されたネジ受け突起２３が垂設され、このネジ受け突起２３にプリント配線基板３と大径円板部２２を挿通させたネジ１４をネジ止めする。ネジ受け突起２３の外径は、プリント配線基板３の４カ所に穿設された挿通孔３１の内径より長く、従って、ネジ止めされる小径円板部２１の底面とプリント配線基板３間の間隔は、ネジ受け突起２３の高さに等しく、この高さは、プリント配線基板３上に実装される各回路部品の高さより高く、入力スイッチ１１、１２、１３が、押し下げ操作していない各操作摘み１１ａ、１２ａ、１３ａの底面に接触する高さとなっている。
【００４６】
プリント配線基板３の平面には、上述した入力スイッチ１１、１２、１３の他、液晶表示素子５のドライバーを兼ねた図６に示すマイコン７、ＲＦ通信モジュール８及びレバー式検出スイッチ９が実装されている。レバー式検出スイッチ９は、プリント配線基板３の円形の輪郭に沿って可動する可動端子９ａが、プリント配線基板３の周縁から半径方向の外方に突出するように、プリント配線基板３の周縁に実装されている。また、プリント配線基板３の底面には、平面側の電源パターンに一端を接続させた一対のワイヤコンタクト１０が取り付けられている。
【００４７】
大径円板部２２は、合成樹脂で、小径円板部２１の外径より長い外径の円板状に形成され、円形の外周に沿った外周縁部２２ａの平面に、断面が半円形状の下ガイド溝２６が凹設されている。図３と図９に示すように、この下ガイド溝２６には、下ガイド溝２６内を転動する８個のボール１７と、ボール１７間の間隔を保持する円弧状のスペーサ１８が収容されている。スペーサ１８は、大径円板部２２を形成する合成樹脂との摩擦力が少ないシリコンなどの可撓性材料によって細長の線状に形成されたもので、リング状の下ガイド溝２６に沿って収容されることにより、下ガイド溝２６に沿った円弧状となっている。外周縁部２２ａの下ガイド溝２６とボール１７は、ジョグダイヤル４１を中心軸回りに回動自在に案内する第２リングガイド部を構成する。
【００４８】
大径円板部２２の平面側中央には、直方体状のバッテリー収容部２４が一体に形成されている。バッテリー収容部２４内のバッテリー収容凹部２４ａは、底面側に開口し、底面側から４本のバッテリー１６（図２参照）を収容するようになっている。バッテリー収容部２４の２カ所の部位には、大径円板部２２の平面側にプリント配線基板３を積層した際に、上記一対のワイヤコンタクト１０の先端を、バッテリー収容凹部２４ａ内に臨ませるコンタクト挿通孔２７が穿設され、バッテリー収容凹部２４ａに収容するバッテリー１６の＋電極と−電極を接続させている。これにより、バッテリー収容凹部２４ａ内で直列に接続される４本のバッテリー１６の直流電源が、コンタクト１０とプリント配線基板３の電源パターンを介して、プリント配線基板３に実装される各回路部品に供給される。
【００４９】
また、バッテリー収容部２４の周囲４カ所の位置には、上述の４本のネジ１４を挿通させる挿通孔２５が大径円板部２２の底面まで連通して穿設されている。挿通孔２５の底面側の開口は、バッテリー収容凹部２４ａの開口とともに、底面側にネジ止めされるバッテリーカバー１５（図２参照）で覆われる。
【００５０】
本実施の形態に係るリモートコントロール送信機１は、テーブルなどに載置して使用するもので、入力操作の際に、リモートコントロール送信機１が移動しないように、大径円板部２２の底面側には、１２０度間隔の３カ所の位置に滑り止めパッド１７が固着されている。
【００５１】
ジョグダイヤル４１は、浅皿状の頂部を円形の中心開口４１ａで開口し、中心開口４１ａの輪郭となる小径の内周縁から大径の外周縁間のリング状の回転操作面４１ｃが中心から外側に向かって下方に傾斜する切頭円錐状に形成されている。上述したように、中心開口４１ａに面する内周縁側の内側面は、段部４１ｂを介して上側の内側面の内径が、下側の内側面の内径より長く、小径円板部２１の外周縁部２１ａとガイド片２１ｂと係合することによって、ジョグダイヤル４１を、小径円板部２１の上方へ抜け止めし、かつ、小径円板部２１の中心軸回りで、回動自在に案内している。
【００５２】
ジョグダイヤル４１の外径は、大径円板部２２の外径に略等しく、外周縁部の底面には、大径円板部２２の下ガイド溝２６と対称形状の断面半円形の上ガイド溝２７が円形の外周縁に沿って凹設されている。この構成によって、同一中心軸線上の大径円板部２２上にジョグダイヤル４１を載置すると、上ガイド溝２７と下ガイド溝２６が対向し、その間にボール１７とスペーサ１８が上ガイド溝２７と下ガイド溝２６の間で転動若しくは摺動自在に収容され、ジョグダイヤル４１が大径円板部２２の中心軸回りで回動自在に案内される。
【００５３】
回転操作面４１ｃの平面には、中心軸回りの等角度間隔で、回転操作の滑り止めとする円形の滑り止め凹部２８が凹設され、また、底面には、中心軸回りの９０度間隔で位置決め円筒部２９が一体に垂設されている。
【００５４】
作動リング４２は、プリント配線基板３の外径よりわずかに大きい内径の円筒部４２ａと、円筒部４２ａの底面から外側に向けて水平方向に突設されたフランジ部４２ｃとから形成される。円筒部４２ａとフランジ部４２ｃとの間には、中心軸回りの等角度間隔で、複数のブラケット片１９が起立して固着され、各ブラケット片１９の先端は、円筒部４２ａを貫通する動作突起１９ａとなっている。
【００５５】
ジョグダイヤル４１の位置決め円筒部２９に対向する作動リング４２のフランジ部４２ｃ平面上には、位置決め円筒部２９に嵌入する位置決め突起３０が立設され、作動リング４２は、位置決め突起３０を位置決め円筒部２９へ嵌入した後、両者を接着剤で固着することによって、ジョグダイヤル４１の回転操作面４１の底面側に固定される。
【００５６】
上述のように構成されたリモートコントロール送信機１の組立は、底面側に作動リング４２を固定したジョグダイヤル４１を、小径円板部２１と大径円板部２２との間に挟んだ状態で、図２、図３に示すように、４本のネジ１４を、大径円板部２２の底面側から、大径円板部２２挿通孔２５とプリント配線基板３の挿通孔３１に挿通し、小径円板部２１のネジ受け突起２３にネジ止めして一体化する。
【００５７】
ネジ止めして組み立てた状態では、上方から順に、小径円板部２１、ジョグダイヤル４１、作動リング４２、プリント配線基板３及び大径円板部２２が、同一中心軸回りで上下に配置され、図２に示すように、ジョグダイヤル４１は、小径円板部２１の第１リングガイド部と大径円板部２２の第２リングガイド部により、中心軸回りで回動自在に案内される。
【００５８】
また、プリント配線基板３上に実装されたレバー式検出スイッチ９の周囲に、作動リング４２の円筒部４２ａが回動自在に配置され、レバー式検出スイッチ９の可動端子９ａは、円筒部４２ａ内に突出する動作突起１９ａと同一円周上に配置されるとともに、上述したように、入力スイッチ１１、１２、１３の各操作摘み１１ａ、１２ａ、１３ａは、プリント配線基板３に実装された入力スイッチ１１、１２、１３のアクチュエータに接触している。
【００５９】
図６は、リモートコントロール送信機１を構成する回路部品を示すブロック図であり、マイコン７に、レバー式検出スイッチ９、入力スイッチ１１、１２、１３、液晶表示素子５及びＲＦ通信モジュール８が接続されている。
【００６０】
レバー式検出スイッチ９は、ジョグダイヤル４１の回転操作による回転方向と回転角度を検出する回転検出素子で、ジョグダイヤル４１が一方向（例えば図６のＡ方向）に回転操作されると、回転方向に移動する動作突起１９ａがレバー式検出スイッチ９の可動端子９ａに当接する毎に、可動端子９ａと回転方向にある固定端子９ｂが接触し、可動端子９ａと固定端子９ｂ間の接触によるパルス信号が発生する。一方、ジョグダイヤル４１が逆方向（例えば図６のＢ方向）に回転操作されると、同様に、可動端子９ａと回転方向にある固定端子９ｃが接触し、可動端子９ａと固定端子９ｃ間の接触によるパルス信号が発生する。マイコン７は、レバー式検出スイッチ９から入力されるパルス信号が、可動端子９ａと固定端子９ｂ間から入力されれば、Ａ方向の回転操作と、可動端子９ａと固定端子９ｃ間から入力されれば、Ｂ方向の回転操作と判別する。また、動作突起１９ａは、ジョグダイヤル４１の中心軸回りに等角度間隔で設けられているので、入力されるパルス信号の発生回数により、ジョグダイヤル４１の回転角度が、所定単位時間内のパルス信号の発生回数により、回転速度が検出される。
【００６１】
尚、可動端子９ａは、中立位置へ復帰する弾性を有し、動作突起１９ａは可動端子９ａから受ける弾性力に抗して可動端子９ａをいずれかの固定端子９ｂ、９ｃへ接触させ、動作突起１９ａが可動端子９ａを乗り越えると、可動端子９ａから受ける弾性力が解かれるので、操作者は、ジョグダイヤル４１を通して、動作突起１９ａが可動端子９ａを乗り越える毎にクリック感を受け、回転操作量（回転操作角度）を含む回転操作感を得ることができる。
【００６２】
マイコン７は、レバー式検出スイッチ９の上記回転操作を表すパルス信号と、入力スイッチ１１、１２、１３の操作信号の入力があると、その入力に応じて液晶表示素子５に所定の表示を表示制御し、ＲＦ通信モジュール８を通信動作制御する。ここでは、入力スイッチ１１の操作信号を入力すると、そのときに、液晶表示素子５に表示されるカーソルで指示される被制御機器、被制御機器の制御動作などの制御内容を選択し、入力スイッチ１２の操作信号を入力すると、制御している被制御機器とＲＦ通信モジュール８により無線通信を行って、その動作状態を液晶表示素子５へ表示し、入力スイッチ１３の操作信号を入力すると、入力スイッチ１１で選択した被制御機器や被制御機器の制御動作を表す制御内容をキャンセルする。また、レバー式検出スイッチ９のパルス信号から、液晶表示素子５に表示されるカーソルを移動し、入力スイッチ１１により被制御機器を制御する制御動作が選択されると、パルス信号の発生回数に応じて被制御機器を制御する制御データを生成し、ＲＦ通信モジュール８へ出力する。
【００６３】
ＲＦ通信モジュール８は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）に準拠し、非同期双方向通信でマイコン７と接続している。また、ＲＦ通信モジュール８は、無線通信規格ＩＥＥＥ８０２．１５．４に準拠する仕様で、予めペアリングにより特定される被制御機器と無線通信を行うものであり、マイコン７からの命令を受けて、被制御機器の動作状態を受信し、マイコン７から被制御機器の動作を制御する制御データを受信すると、無線通信により制御データを被制御機器へ送信し、制御データに従った動作を実行させる。
【００６４】
以下、上述のように構成されたリモートコントロール送信機１の動作を、図７乃至図９を用いて説明する。リモートコントロール送信機１を用いていない待機状態では、バッテリー１６の消耗を最小限とするために、マイコン７は、入力スイッチ１１、１２、１３及びレバー式検出スイッチ９からの入力を検出するだけのスリープモードで動作している。
【００６５】
入力スイッチ１１、１２、１３及びレバー式検出スイッチ９のいずれかの入力を検出した初期状態では、液晶表示素子５に図８の１０１で示すメインメニューが表示され、被制御機器の一つであるＴＶの表示位置に反転で表されるカーソル３１が表示されている。メインメニューは、制御する被制御機器を選択する入力モードであり、被制御機器の選択は、図７に示すように、ジョグダイヤル４１の滑り止め凹部２８に指を押し当てて中心軸回りに回転させることにより、液晶表示素子５に表示されるカーソル３１を移動させる。
【００６６】
カーソル３１は、ジョグダイヤル４１の回転方向に一致するように液晶表示素子５の表示画面上を移動し、例えば、ジョグダイヤル４１を図７のＡ方向（反時計回り）へ回転操作すると、マイコン７に可動端子９ａと固定端子９ｂ間から複数のパルス信号が連続して入力され、マイコン７は、Ａ方向の回転操作を検出し、ＴＶの表示位置にあるカーソル３１を、１０２に示すＡ方向と同一方向のＡＶアンプの表示位置へ移動させる。
【００６７】
同様の回転操作で制御しようとする被制御機器の表示位置へカーソル３１を移動させた後、入力スイッチ１１を入力操作する。ここでは、ＴＶの音量を操作することとし、メインメニューでＴＶの表示位置へカーソル３１を移動し（１０１）、入力スイッチ１１を入力操作すると、ＴＶメニューの入力モード（２０１）に液晶表示素子５の表示画面が切り替わる。カーソル３１は、メインメニューと同様にジョグダイヤル４１の回転操作方向に一致して移動し、音量を操作するために、ジョグダイヤル４１をＡ方向に回転操作し、ボリュームの表示位置にカーソル３１を移動させた状態で（２０２）、入力スイッチ１１を入力操作する。これにより、マイコン７は、ＴＶの音量を制御する制御内容が選択された制御モードに移行する。尚、ＴＶメニューを表示するいずれかの表示画面で、入力スイッチ１３を入力すると、１階層戻ったメインメニューの表示画面（１０１）へ戻る。
【００６８】
カーソル３１がボリュームの表示位置にある（２０２）ときに、入力スイッチ１１を入力操作すると、ボリューム調整の入力モード（３０１）に液晶表示素子５の表示画面が切り替わる。ボリューム調整の入力モード（３０１）では、ボリュームのＵｐ若しくはＤｏｗｎ制御の制御内容と共に、これらの制御を行うためのジョグダイヤル４１の回転操作方向が、ジョグダイヤル４１の中心側に配置された液晶表示素子５によって矢印で表示される。すなわち、制御内容（ボリュームのＵｐ若しくはＤｏｗｎ）の制御データを生成するジョグダイヤル４１の回転操作方向が、ジョグダイヤル４１の中心側で同一中心軸回りの矢印で案内されるので、操作者は、制御内容についてジョグダイヤル４１の回転操作方向を誤ることなく、回転操作することができる。ジョグダイヤル４１をＡ方向へ回転操作するとＴＶへ音量を下げる制御制御データがＴＶに送信され、Ａ方向の回転角度に応じて、音量が減少するとともに、音量を表示する黒三角マークが減少する表示に移行する（３０２乃至３０４）。また、ジョグダイヤル４１をＢ方向へ回転操作するとＴＶへ音量を上げる制御が行われ、Ｂ方向の回転角度に応じて、音量が増大するとともに、音量を表示する黒三角マークが増加する表示に移行する（３０５乃至３０７）。
【００６９】
次に、ブラインドの遮光制御を行うものとすると、図８の１０１で示すメインメニューから、ジョグダイヤル４１をＡ方向、Ｂ方向のいずれかに回転操作し、図９のブラインドの表示位置へカーソル３１を移動させ（１０３）、入力スイッチ１１を入力操作する。液晶表示素子５の表示画面は、ブラインドメニューの入力モード（２０３）に切り替わり、この入力モードでカーソル３１を遮光調整に移動させて、入力スイッチ１１を入力操作すると、ブラインドを開閉する方向が図示させたブラインド遮光調整の入力モード（３２０）が表示される。同時に、マイコン７は、ブラインド遮光調整を制御する制御内容が選択された制御モードに移行する。
【００７０】
ブラインド遮光調整の入力モード（３２０）では、ブラインドを側方からみた開閉状態が液晶表示素子５に表示され、この開閉方向は、ジョグダイヤル４１の回転操作によって開閉制御する方向に一致させている。すなわち、ジョグダイヤル４１をＡ方向の反時計回りに回転操作すると、ブラインドは右側から見て反時計回りに回転制御され、ブラインド間の隙間が狭まって遮光が進み、Ｂ方向の時計回りに回転操作すると、ブラインドは時計回りに回転制御され、ブラインド間の隙間が広がり採光が進む。
【００７１】
また、ジョグダイヤル４１の回転角度に比例して、ブラインドは回転制御され、ジョグダイヤル４１をＡ方向へ回転操作すると、その回転角度に応じてブラインドは左回りに回転制御され、液晶表示素子５の表示は、ブラインドが徐々に左回りに回転する表示の方向（図９の３１７から３２３の方向）に移行する。逆に、Ｂ方向に回転操作すると、その回転角度に応じてブラインドは右回りに回転制御され、液晶表示素子５の表示は、ブラインドが徐々に右回りに回転する表示の方向（図９の３２３から３１７の方向）に移行する。
【００７２】
本実施の形態に係るジョグダイヤル４１は、ケース２の平面の輪郭全体を覆う大きさで、多数の動作突起１９ａを中心軸回りに等角度間隔で取り付けることができるとともに、外径が長い大型のジョグダイヤル４１とすることにより微小角度の回転操作が容易になるので、ジョグダイヤル４１の微小回転角度をマイコン７により検出して、ブラインドのきめ細かい回転制御を、液晶表示素子５にその状態を表示させながら、行うことができる。
【００７３】
上述の各実施の形態では、ケース２に１種類のジョグダイヤル４１が回転自在に取り付けられているが、同一中心軸周りに、それぞれ回転方向を検出できる２種類以上のジョグダイヤルを回転自在に取り付け、制御内容や被制御機器に応じて２種類のジョグダイヤルの回転操作を使い分けるようにしてもよい。例えば、２種類のジョグダイヤルを同一回転角度で回転操作した際に、被制御機器を異なる回転角度で制御する制御データを生成させて、２種類のジョグダイヤルの回転操作で高速制御と、微調整制御に分けて制御することもできる。
【００７４】
また、ジョグダイヤルの回転操作面にＬＥＤ等の発光表示手段を取り付け、発光表示手段の点灯若しくは消灯で、選択された特定の制御内容を表すようにしてもよい。
【００７５】
更に、上記発光表示手段若しくは別の表示手段からなるガイド表示手段をジョグダイヤルに取り付け、液晶表示素子に表示される制御内容で被制御機器を制御する為のジョグダイヤルの回転操作方向を、ガイド表示手段による表示で案内してもよい。
【００７６】
更に、回転操作する操作部は、必ずしもジョグダイヤルのように円環状に形成する必要はなく、回転中心軸側に開口を設けず、ケース２の平面全体を覆う形状としてもよい。
【産業上の利用可能性】
【００７７】
本発明は、円環状操作部の回転操作により、被制御機器を制御するリモートコントロール送信機に適している。
【図面の簡単な説明】
【００７８】
【図１】本発明の一実施の形態に係るリモートコントロール送信機１の斜視図である。
【図２】リモートコントロール送信機１の縦断面図である。
【図３】リモートコントロール送信機１の各部を上方から見た分解斜視図である。
【図４】リモートコントロール送信機１の各部を下方から見た分解斜視図である。
【図５】大径円板部２２のリングガイド部を示す要部拡大斜視図である。
【図６】リモートコントロール送信機１の回路構成を示すブロック図である。
【図７】リモートコントロール送信機１の使用状態を示す斜視図である。
【図８】ＴＶの音量制御の際に液晶表示素子５に表示される表示を示す説明図である。
【図９】ブラインドの遮光制御の際に液晶表示素子５に表示される表示を示す説明図である。
【符号の説明】
【００７９】
１      リモートコントロール送信機
２      ケース（筐体）
４      円環状操作部
６      液晶表示素子（表示部）
７      マイコン（操作信号生成手段）
８      ＲＦ通信モジュール（送信手段）
９      レバー式検出スイッチ（回転検出手段）
１１    入力スイッチ
１２    入力スイッチ
１３    入力スイッチ
１７    ボール（第２リングガイド部）
２１    小径円板部
２１ｂ  ガイド片２１ｂ（第１リングガイド部）
２２    大径円板部
２６    下ガイド溝（第２リングガイド部）
４１    ジョグダイヤル
４１ａ  中心開口（中心側開口）
【図１】
2010062683.tif 000003
【図２】
2010062683.tif 000004
【図３】
2010062683.tif 000005
【図４】
2010062683.tif 000006
【図５】
2010062683.tif 000007
【図６】
2010062683.tif 000008
【図７】
2010062683.tif 000009
【図８】
2010062683.tif 000010
【図９】
2010062683.tif 000011
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
筐体と、
筐体に回転自在に取り付けられる円環状操作部と、
円環状操作部の回転中心軸回りの回転角度を検出する回転検出手段と、
被制御機器を制御する複数の制御内容を表示する表示部と、
筐体に取り付けられ、入力操作により表示部に表示される複数の制御内容から特定の制御内容を選択する入力スイッチと、
入力スイッチの入力操作により特定の制御内容が選択された制御モードで、回転検出手段が検出した回転角度から、被制御機器を選択された制御内容で制御する制御データを生成する操作信号生成手段と、
被制御機器へ制御データを送信する送信手段とを備え、
円環状操作部は、筐体の平面の輪郭全体を覆うように筐体に取り付けられ、
円環状操作部の回転中心側開口に露出する筐体の平面に、入力スイッチと表示部が取り付けられることを特徴とするリモートコントロール送信機。
【請求項２】
筐体は、大径円板部と、大径円板部の平面側上方で大径円板部と同一中心軸線上に配置される小径円板部とを有し、
円環状操作部は、小径円板部の外周縁に沿って下向きに形成された第１リングガイド部と大径円板部の外周縁に沿って上向きに形成された第２リングガイド部との間に、円環状操作部の回転中心軸回りで回転自在に取り付けられることを特徴とする請求項１に記載のリモートコントロール送信機。
【請求項３】
筐体に、同一中心軸回りで独立して回転自在に取り付けられる２以上の円環状操作部と、
各円環状操作部毎に回転中心軸回りの回転角度を検出する複数の回転角検出手段とを備え、
複数の円環状操作部の最も大径の円環状操作部が、筐体の平面の輪郭全体を覆うとともに、最も小径の円環状操作部の中心側開口に露出する筐体の平面に、入力スイッチと表示部が取り付けられることを特徴とする請求項１に記載のリモートコントロール送信機。
【請求項４】
円環状操作部に発光表示手段が搭載され、発光表示手段は、入力操作により選択される入力内容毎に異なる色で発光することを特徴とすることを特徴とする請求項１に記載のリモートコントロール送信機。
【請求項５】
回転検出手段は、円環状操作部の回転中心軸回りの回転方向と回転角度を検出し、
操作信号生成手段は、被制御機器を回転動作させる制御内容が選択された制御モードで、回転検出手段が検出した回転方向と回転角度とから、被制御機器を回転動作させる制御データを生成することを特徴とする請求項１に記載のリモートコントロール送信機。
【請求項６】
円環状操作部に、被制御機器を回転動作させる制御内容が選択された制御モードで、被制御機器の回転動作方向を表示するガイド表示手段が搭載され、
前記制御モードで、ガイド表示手段が表示する回転動作方向に円環状操作部を回転操作したときに、操作信号生成手段は、回転角検出手段が検出した回転方向と回転角度とから、ガイド表示手段が表示する回転動作方向に被制御機器を回転制御する制御データを生成することを特徴とする請求項５に記載のリモートコントロール送信機。
【請求項７】
送信手段は、制御データをＲＦ信号により被制御機器へ送信するＲＦ送信モジュールであることを特徴とする請求項１乃至６のいずれか１項に記載のリモートコントロール送信機。
【手続補正２】
【補正対象書類名】明細書
【補正対象項目名】全文
【補正方法】変更
【補正の内容】
【発明の詳細な説明】
【技術分野】
【０００１】
本発明は、被制御機器に制御データを送信して制御するリモートコントロール送信機に関し、更に詳しくは、回転操作に応じた制御データで被制御機器を制御するリモートコントロール送信機に関する。
【背景技術】
【０００２】
従来、ＤＶＤレコーダなどの映像再生機器を遠隔制御するリモートコントロール送信機として、ジョグダイヤルといわれる円環状のダイヤルキーをケースへ回転自在に取り付け、ダイヤルキーの回転操作に応じて、ＤＶＤレコーダに記録された録画をコマ送り再生や変速再生制御するリモートコントロール送信機が知られている（特許文献１）。
【０００３】
このようなリモートコントロール送信機では、液晶パネルなどの表示部に制御内容（例えば、電源のＯＮ、ＯＦＦ、早送り、巻き戻し、再生など）を表示し、ダイヤルキーと別にケースに取り付けられた決定キーでいずれかの制御内容を選択した後、例えば、「再生」が選択されると、ダイヤルキーの回転操作による回転角度に応じた制御データをＤＶＤレコーダへ送信し、録画のコマ送り再生制御を行っている。
【０００４】
また、液晶パネルとダイヤルキーがケースの側面から出没自在となるように取り付けられたリモートコントロール送信機も知られている（特許文献２）。このリモートコントロール送信機では、制御する特定の被制御機器を選択する際、例えば、複数の被制御機器から制御しよう被制御機器を選択する場合に、ケースの側面から液晶パネルとダイヤルキーを突出させ、液晶パネルに表示する複数の被制御機器から、ダイヤルキーを回転操作して制御する被制御機器にカーソルを移動させ、ケースに取り付けられた決定キーを入力操作してカーソルに表示される被制御機器を選択させている。
【０００５】
【特許文献１】特開２００７−３６５０８号公報（第３頁３６行乃至５０行、第４頁２６行乃至３２行、図１、図３）
【特許文献２】特開２００５−１５９６３９号公報（要約、図５）
【発明の開示】
【発明が解決しようとする課題】
【０００６】
しかしながら、特許文献１に示されるリモートコントロール送信機は、縦長のケースの平面に、複数の制御内容を表示する表示部とダイヤルキーとを、上方と下方に分けて取り付けるので、ケース全体の小型化に限界があり、また、表示部とダイヤルキーが重ならないようにケースを小型化すると、ダイヤルキーの外径も小さくせざるを得ず、ダイヤルキーの微小回転角度でダイヤルキーを回転させることが困難となり、きめ細かい回転操作で被制御機器を制御することができなかった。
【０００７】
液晶パネルとダイヤルキーをケースの側面から出没させる特許文献２に記載のリモートコントロール送信機にあっても、使用しない状態でダイヤルキーをケース内に収容するので、少なくともその外径はケースより小さく、同様にケースが小型化すれば、ダイヤルキーの微小回転操作に応じて被制御機器を制御することができなかった。
【０００８】
更に、いずれのリモートコントロール送信機も、ダイヤルキーと表示部が離れているので、ダイヤルキーの回転操作方向や回転操作角度と表示部に表示させる制御内容とは無関係であり、ダイヤルキーの回転操作方向や回転操作角度に関連づけて、制御内容を表示し、違和感なくダイヤルキーの操作を案内させるものではなかった。
【０００９】
本発明は、このような従来の問題点を考慮してなされたものであり、ケースの大きさにかかわらず、ダイヤルキーを微小回転操作し、ダイヤルキーの微小回転角度に応じてきめ細かく被制御機器を制御可能なリモートコントロール送信機を提供することを目的とする。
【００１０】
また、ダイヤルキーの回転操作する回転操作方向や回転角度に一致させて、その回転操作によって制御される被制御機器の回転方向や回転角度を表示部に表示することができ、表示部で制御しようとする回転動作を確認しながら、違和感なくダイヤルキーを回転操作することが可能なリモートコントロール送信機を提供することを目的とする。
【課題を解決するための手段】
【００１１】
上述の目的を達成するため、請求項１のリモートコントロール送信機は、筐体に回転自在に取り付けられる円環状操作部と、円環状操作部の回転中心軸回りの回転角度を検出する回転検出手段と、被制御機器を制御する複数の制御内容を表示する表示部と、筐体に取り付けられ、入力操作により表示部に表示される複数の制御内容から特定の制御内容を選択する入力スイッチと、入力スイッチの入力操作により特定の制御内容が選択された制御モードで、回転検出手段が検出した回転角度から、被制御機器を選択された制御内容で制御する制御データを生成する操作信号生成手段と、被制御機器へ制御データを送信する送信手段とを備え、円環状操作部は、筐体の平面の輪郭全体を覆うように筐体に取り付けられ、円環状操作部の中心側開口に露出する筐体の平面に、入力スイッチと表示部が取り付けられることを特徴とする。
【００１２】
入力スイッチと表示部が円環状操作部の中心側開口内の筐体に取り付けられるので、円環状操作部は、筐体の平面の輪郭全体を覆う外形で、リモートコントロール送信機の全体を小型化しても、円環状操作部を微小回転操作が可能な大きさとすることができる。
【００１３】
制御内容を表示する表示部が、回転操作を行う円環状操作部の中心側開口内に取り付けられるので、表示部の表示を見ながら回転操作を行うことかできる。
【００１４】
請求項２のリモートコントロール送信機は、筐体が、大径円板部と、大径円板部の平面側上方で大径円板部と同一中心軸線上に配置される小径円板部とを有し、円環状操作部は、小径円板部の外周縁に沿って下向きに形成された第１リングガイド部と大径円板部の外周縁に沿って上向きに形成された第２リングガイド部との間に、円環状操作部の回転中心軸回りで回転自在に取り付けられることを特徴とする。
【００１５】
円環状操作部は、大径円板部と小径円板部の外周縁に沿って案内されるので、回転中心に円環状操作部を支持する回転軸を配置することなく、筐体に回転自在に取り付けられる。
【００１６】
請求項３のリモートコントロール送信機は、筐体に、同一中心軸回りで独立して回転自在に取り付けられる２以上の円環状操作部と、各円環状操作部毎に回転中心軸回りの回転角度を検出する複数の回転角検出手段とを備え、複数の円環状操作部の最も大径の円環状操作部が、筐体の平面の輪郭全体を覆うとともに、最も小径の円環状操作部の中心側開口に露出する筐体の平面に、入力スイッチと表示部が取り付けられることを特徴とする。
【００１７】
２以上の円環状操作部に複数の被制御機器や、被制御機器を制御する複数の動作を割り当て、回転操作する円環状操作部を選択することにより、制御する被制御機器や制御動作を選択できる。
【００１８】
請求項４のリモートコントロール送信機は、円環状操作部に発光表示手段が搭載され、発光表示手段は、入力操作により選択される制御内容毎に異なる色で発光することを特徴とする。
【００１９】
円環状操作部の発光色によって入力操作により選択される制御内容を確認できる。
【００２０】
請求項５のリモートコントロール送信機は、回転検出手段が、円環状操作部の回転中心軸回りの回転方向と回転角度を検出し、操作信号生成手段は、被制御機器を回転動作させる制御内容が選択された制御モードで、回転検出手段が検出した回転方向と回転角度とから、被制御機器を回転動作させる制御データを生成することを特徴とする。
【００２１】
入力スイッチの入力操作と、円環状操作部の回転操作の回転方向と回転角度とから、異なる制御データが生成される。
【００２２】
請求項６のリモートコントロール送信機は、円環状操作部に、被制御機器を回転動作させる制御内容が選択された制御モードで、被制御機器の回転動作方向を表示するガイド表示手段が搭載され、前記制御モードで、ガイド表示手段が表示する回転動作方向に円環状操作部を回転操作したときに、操作信号生成手段は、回転角検出手段が検出した回転方向と回転角度とから、ガイド表示手段が表示する回転動作方向に被制御機器を回転制御する制御データを生成することを特徴とする。
【００２３】
被制御機器を回転動作させる制御内容が選択された制御モードでガイド表示手段が表示する円環状操作部の回転動作方向に従って円環状操作部を回転操作すると、被制御機器は、ガイド表示手段が表示する回転動作方向に回転制御される。
【００２４】
請求項７のリモートコントロール送信機は、送信手段が、制御データをＲＦ信号により被制御機器へ送信するＲＦ送信モジュールであることを特徴とする。
【００２５】
被制御機器の設置方向を意識せずに、制御できる。送信手段の周囲を円環状操作部が覆っても、制御データの送信は、円環状操作部によって遮断されない。
【発明の効果】
【００２６】
請求項１の発明によれば、リモートコントロール送信機の全体を小型化しても、回転操作領域が小さくならず、微小回転角度の回転操作によって、被制御機器をきめ細かく制御できる。
【００２７】
また、回転操作する円環状操作部の中心に、表示部が配置されるので、制御内容に合わせて、表示部に円環状操作部の回転操作方向や回転角度を表示することができ、表示部の表示により違和感なく回転操作を案内することができる。
【００２８】
請求項２の発明によれば、円環状操作部の回転中心に回転軸を設けないので、回転軸と干渉することなく、円環状操作部の中心側開口内に表示部と入力スイッチを取り付けることができる。
【００２９】
請求項３の発明によれば、被制御機器を制御する複数の動作に応じて、２以上の円環状操作部を割り当てることができる。被制御機器を高速動作で制御する場合には、小径の中心側の円環状操作部を、低速動作で制御する場合には、大径の外側の円環状操作部を回転操作し、制御する動作速度に応じて、最適な外径の円環状操作部で回転操作を行うことができる。
【００３０】
請求項４の発明によれば、円環状操作部を回転操作することにより生成される制御データが、円環状操作部の発光色で確認できる。
【００３１】
請求項５の発明によれば、円環状操作部の回転操作の回転方向と回転角度毎に、被制御機器を制御できる。
【００３２】
請求項６の発明によれば、円環状操作部に、回転操作することによって被制御機器が回転する回転方向が表示されるので、ガイド表示手段の回転操作方向の表示と被制御機器の回転動作方向が一致し、ガイド表示手段による表示によって違和感なく被制御機器を回転動作制御することができる。
【００３３】
請求項８の発明によれば、赤外線により制御データを送信する送信手段と比べて、被制御機器に送信方向を向ける必要がないので、回転中心軸回りで方向性が特定されない円環状操作部でリモートコントロール送信機の外形を形成できる。
【００３４】
また、ＲＦ信号による制御データの送信は円環状操作部により遮断されないので、送信手段の周囲に円環状操作部を配置することができる。
【発明を実施するための最良の形態】
【００３５】
以下、本発明の一実施の形態に係るリモートコントロール送信機１を、図１乃至図６を用いて説明する。図１は、リモートコントロール送信機１の斜視図、図２は、同縦断面図、図３は、リモートコントロール送信機１の上方から見た分解斜視図、図４は、同下方から見た分解斜視図、図５は、大径円板部２２のリングガイド部を示す要部拡大斜視図である。
【００３６】
図３、図４に示すように、リモートコントロール送信機１は、小径円板部２１と大径円板部２２とから構成される絶縁性のケース２と、小径円板部２１と大径円板部２２間に挟まれて取り付けられる円形のプリント配線基板３と、リング状のジョグダイヤル４１と作動リング４２とから構成される円環状操作部４と、小径円板部２１の平面側に操作摘みを臨ませた３個の入力スイッチ１１、１２、１３及び液晶表示素子５とを備えている。
【００３７】
小径円板部２１は、合成樹脂で円板状に形成されたもので、その底面（図２において下面）側から液晶表示素子５が取り付けられ、平面側に連通する長方形状の開口内に液晶表示素子５の表示画面が臨んでいる。また、この長方形状の開口の一側に沿って、３個の入力スイッチ１１、１２、１３の各操作摘み１１ａ、１２ａ、１３ａが平面側に出没自在に取り付けられ、底面側にプリント配線基板３を取り付けると、それぞれプリント配線基板３に実装される入力スイッチ１１、１２、１３上となる部位に取り付けられる。
【００３８】
小径円板部２１の外周縁部２１ａは、円形の輪郭で、その外周縁部２１ａの底面側のやや中心寄りに、外周縁部２１ａの輪郭に沿った９０度間隔の４カ所の位置から、第１リングガイド部となる円弧状のガイド片２１ｂが垂設されている（図４参照）。ジョグダイヤル４１の中心開口４１ａが形成される内周縁の円筒形内側面は、円形の段部４１ｂを介して上側の内側面の内径が、小径円板部２１の外周縁部２１ａの外径よりわずかに長く、下側の内側面の内径が外周縁部２１ａの外径より短く、４片のガイド片２１ｂで形成される円の直径よりわずかに長くなっている。これにより、中心開口４１ａへ上方からを組み入れたジョグダイヤル４１は、段部４１ｂに外周縁部２１ａが当接して、小径円板部２１に対して相対的に上方への移動が規制されるとともに、上側の内側面と下側の内側面が、それぞれ小径円板部２１の外周縁部２１ａとガイド片２１ｂに沿って摺動し、回動自在に案内される。
【００３９】
小径円板部２１の底面には、更に、４カ所の位置に、円筒内面にネジ孔が螺刻されたネジ受け突起２３が垂設され、このネジ受け突起２３にプリント配線基板３と大径円板部２２を挿通させたネジ１４をネジ止めする。ネジ受け突起２３の外径は、プリント配線基板３の４カ所に穿設された挿通孔３１の内径より長く、従って、ネジ止めされる小径円板部２１の底面とプリント配線基板３間の間隔は、ネジ受け突起２３の高さに等しく、この高さは、プリント配線基板３上に実装される各回路部品の高さより高く、入力スイッチ１１、１２、１３が、押し下げ操作していない各操作摘み１１ａ、１２ａ、１３ａの底面に接触する高さとなっている。
【００４０】
プリント配線基板３の平面には、上述した入力スイッチ１１、１２、１３の他、液晶表示素子５のドライバーを兼ねた図６に示すマイコン７、ＲＦ通信モジュール８及びレバー式検出スイッチ９が実装されている。レバー式検出スイッチ９は、プリント配線基板３の円形の輪郭に沿って可動する可動端子９ａが、プリント配線基板３の周縁から半径方向の外方に突出するように、プリント配線基板３の周縁に実装されている。また、プリント配線基板３の底面には、平面側の電源パターンに一端を接続させた一対のワイヤコンタクト１０が取り付けられている。
【００４１】
大径円板部２２は、合成樹脂で、小径円板部２１の外径より長い外径の円板状に形成され、円形の外周に沿った外周縁部２２ａの平面に、断面が半円形状の下ガイド溝２６が凹設されている。図３と図９に示すように、この下ガイド溝２６には、下ガイド溝２６内を転動する８個のボール１７と、ボール１７間の間隔を保持する円弧状のスペーサ１８が収容されている。スペーサ１８は、大径円板部２２を形成する合成樹脂との摩擦力が少ないシリコンなどの可撓性材料によって細長の線状に形成されたもので、リング状の下ガイド溝２６に沿って収容されることにより、下ガイド溝２６に沿った円弧状となっている。外周縁部２２ａの下ガイド溝２６とボール１７は、ジョグダイヤル４１を中心軸回りに回動自在に案内する第２リングガイド部を構成する。
【００４２】
大径円板部２２の平面側中央には、直方体状のバッテリー収容部２４が一体に形成されている。バッテリー収容部２４内のバッテリー収容凹部２４ａは、底面側に開口し、底面側から４本のバッテリー１６（図２参照）を収容するようになっている。バッテリー収容部２４の２カ所の部位には、大径円板部２２の平面側にプリント配線基板３を積層した際に、上記一対のワイヤコンタクト１０の先端を、バッテリー収容凹部２４ａ内に臨ませるコンタクト挿通孔２７が穿設され、バッテリー収容凹部２４ａに収容するバッテリー１６の＋電極と−電極を接続させている。これにより、バッテリー収容凹部２４ａ内で直列に接続される４本のバッテリー１６の直流電源が、コンタクト１０とプリント配線基板３の電源パターンを介して、プリント配線基板３に実装される各回路部品に供給される。
【００４３】
また、バッテリー収容部２４の周囲４カ所の位置には、上述の４本のネジ１４を挿通させる挿通孔２５が大径円板部２２の底面まで連通して穿設されている。挿通孔２５の底面側の開口は、バッテリー収容凹部２４ａの開口とともに、底面側にネジ止めされるバッテリーカバー１５（図２参照）で覆われる。
【００４４】
本実施の形態に係るリモートコントロール送信機１は、テーブルなどに載置して使用するもので、入力操作の際に、リモートコントロール送信機１が移動しないように、大径円板部２２の底面側には、１２０度間隔の３カ所の位置に滑り止めパッド１７が固着されている。
【００４５】
ジョグダイヤル４１は、浅皿状の頂部を円形の中心開口４１ａで開口し、中心開口４１ａの輪郭となる小径の内周縁から大径の外周縁間のリング状の回転操作面４１ｃが中心から外側に向かって下方に傾斜する切頭円錐状に形成されている。上述したように、中心開口４１ａに面する内周縁側の内側面は、段部４１ｂを介して上側の内側面の内径が、下側の内側面の内径より長く、小径円板部２１の外周縁部２１ａとガイド片２１ｂと係合することによって、ジョグダイヤル４１を、小径円板部２１の上方へ抜け止めし、かつ、小径円板部２１の中心軸回りで、回動自在に案内している。
【００４６】
ジョグダイヤル４１の外径は、大径円板部２２の外径に略等しく、外周縁部の底面には、大径円板部２２の下ガイド溝２６と対称形状の断面半円形の上ガイド溝２７が円形の外周縁に沿って凹設されている。この構成によって、同一中心軸線上の大径円板部２２上にジョグダイヤル４１を載置すると、上ガイド溝２７と下ガイド溝２６が対向し、その間にボール１７とスペーサ１８が上ガイド溝２７と下ガイド溝２６の間で転動若しくは摺動自在に収容され、ジョグダイヤル４１が大径円板部２２の中心軸回りで回動自在に案内される。
【００４７】
回転操作面４１ｃの平面には、中心軸回りの等角度間隔で、回転操作の滑り止めとする円形の滑り止め凹部２８が凹設され、また、底面には、中心軸回りの９０度間隔で位置決め円筒部２９が一体に垂設されている。
【００４８】
作動リング４２は、プリント配線基板３の外径よりわずかに大きい内径の円筒部４２ａと、円筒部４２ａの底面から外側に向けて水平方向に突設されたフランジ部４２ｃとから形成される。円筒部４２ａとフランジ部４２ｃとの間には、中心軸回りの等角度間隔で、複数のブラケット片１９が起立して固着され、各ブラケット片１９の先端は、円筒部４２ａを貫通する動作突起１９ａとなっている。
【００４９】
ジョグダイヤル４１の位置決め円筒部２９に対向する作動リング４２のフランジ部４２ｃ平面上には、位置決め円筒部２９に嵌入する位置決め突起３０が立設され、作動リング４２は、位置決め突起３０を位置決め円筒部２９へ嵌入した後、両者を接着剤で固着することによって、ジョグダイヤル４１の回転操作面４１の底面側に固定される。
【００５０】
上述のように構成されたリモートコントロール送信機１の組立は、底面側に作動リング４２を固定したジョグダイヤル４１を、小径円板部２１と大径円板部２２との間に挟んだ状態で、図２、図３に示すように、４本のネジ１４を、大径円板部２２の底面側から、大径円板部２２挿通孔２５とプリント配線基板３の挿通孔３１に挿通し、小径円板部２１のネジ受け突起２３にネジ止めして一体化する。
【００５１】
ネジ止めして組み立てた状態では、上方から順に、小径円板部２１、ジョグダイヤル４１、作動リング４２、プリント配線基板３及び大径円板部２２が、同一中心軸回りで上下に配置され、図２に示すように、ジョグダイヤル４１は、小径円板部２１の第１リングガイド部と大径円板部２２の第２リングガイド部により、中心軸回りで回動自在に案内される。
【００５２】
また、プリント配線基板３上に実装されたレバー式検出スイッチ９の周囲に、作動リング４２の円筒部４２ａが回動自在に配置され、レバー式検出スイッチ９の可動端子９ａは、円筒部４２ａ内に突出する動作突起１９ａと同一円周上に配置されるとともに、上述したように、入力スイッチ１１、１２、１３の各操作摘み１１ａ、１２ａ、１３ａは、プリント配線基板３に実装された入力スイッチ１１、１２、１３のアクチュエータに接触している。
【００５３】
図６は、リモートコントロール送信機１を構成する回路部品を示すブロック図であり、マイコン７に、レバー式検出スイッチ９、入力スイッチ１１、１２、１３、液晶表示素子５及びＲＦ通信モジュール８が接続されている。
【００５４】
レバー式検出スイッチ９は、ジョグダイヤル４１の回転操作による回転方向と回転角度を検出する回転検出素子で、ジョグダイヤル４１が一方向（例えば図６のＡ方向）に回転操作されると、回転方向に移動する動作突起１９ａがレバー式検出スイッチ９の可動端子９ａに当接する毎に、可動端子９ａと回転方向にある固定端子９ｂが接触し、可動端子９ａと固定端子９ｂ間の接触によるパルス信号が発生する。一方、ジョグダイヤル４１が逆方向（例えば図６のＢ方向）に回転操作されると、同様に、可動端子９ａと回転方向にある固定端子９ｃが接触し、可動端子９ａと固定端子９ｃ間の接触によるパルス信号が発生する。マイコン７は、レバー式検出スイッチ９から入力されるパルス信号が、可動端子９ａと固定端子９ｂ間から入力されれば、Ａ方向の回転操作と、可動端子９ａと固定端子９ｃ間から入力されれば、Ｂ方向の回転操作と判別する。また、動作突起１９ａは、ジョグダイヤル４１の中心軸回りに等角度間隔で設けられているので、入力されるパルス信号の発生回数により、ジョグダイヤル４１の回転角度が、所定単位時間内のパルス信号の発生回数により、回転速度が検出される。
【００５５】
尚、可動端子９ａは、中立位置へ復帰する弾性を有し、動作突起１９ａは可動端子９ａから受ける弾性力に抗して可動端子９ａをいずれかの固定端子９ｂ、９ｃへ接触させ、動作突起１９ａが可動端子９ａを乗り越えると、可動端子９ａから受ける弾性力が解かれるので、操作者は、ジョグダイヤル４１を通して、動作突起１９ａが可動端子９ａを乗り越える毎にクリック感を受け、回転操作量（回転操作角度）を含む回転操作感を得ることができる。
【００５６】
マイコン７は、レバー式検出スイッチ９の上記回転操作を表すパルス信号と、入力スイッチ１１、１２、１３の操作信号の入力があると、その入力に応じて液晶表示素子５に所定の表示を表示制御し、ＲＦ通信モジュール８を通信動作制御する。ここでは、入力スイッチ１１の操作信号を入力すると、そのときに、液晶表示素子５に表示されるカーソルで指示される被制御機器、被制御機器の制御動作などの制御内容を選択し、入力スイッチ１２の操作信号を入力すると、制御している被制御機器とＲＦ通信モジュール８により無線通信を行って、その動作状態を液晶表示素子５へ表示し、入力スイッチ１３の操作信号を入力すると、入力スイッチ１１で選択した被制御機器や被制御機器の制御動作を表す制御内容をキャンセルする。また、レバー式検出スイッチ９のパルス信号から、液晶表示素子５に表示されるカーソルを移動し、入力スイッチ１１により被制御機器を制御する制御動作が選択されると、パルス信号の発生回数に応じて被制御機器を制御する制御データを生成し、ＲＦ通信モジュール８へ出力する。
【００５７】
ＲＦ通信モジュール８は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）に準拠し、非同期双方向通信でマイコン７と接続している。また、ＲＦ通信モジュール８は、無線通信規格ＩＥＥＥ８０２．１５．４に準拠する仕様で、予めペアリングにより特定される被制御機器と無線通信を行うものであり、マイコン７からの命令を受けて、被制御機器の動作状態を受信し、マイコン７から被制御機器の動作を制御する制御データを受信すると、無線通信により制御データを被制御機器へ送信し、制御データに従った動作を実行させる。
【００５８】
以下、上述のように構成されたリモートコントロール送信機１の動作を、図７乃至図９を用いて説明する。リモートコントロール送信機１を用いていない待機状態では、バッテリー１６の消耗を最小限とするために、マイコン７は、入力スイッチ１１、１２、１３及びレバー式検出スイッチ９からの入力を検出するだけのスリープモードで動作している。
【００５９】
入力スイッチ１１、１２、１３及びレバー式検出スイッチ９のいずれかの入力を検出した初期状態では、液晶表示素子５に図８の１０１で示すメインメニューが表示され、被制御機器の一つであるＴＶの表示位置に反転で表されるカーソル３１が表示されている。メインメニューは、制御する被制御機器を選択する入力モードであり、被制御機器の選択は、図７に示すように、ジョグダイヤル４１の滑り止め凹部２８に指を押し当てて中心軸回りに回転させることにより、液晶表示素子５に表示されるカーソル３１を移動させる。
【００６０】
カーソル３１は、ジョグダイヤル４１の回転方向に一致するように液晶表示素子５の表示画面上を移動し、例えば、ジョグダイヤル４１を図７のＡ方向（反時計回り）へ回転操作すると、マイコン７に可動端子９ａと固定端子９ｂ間から複数のパルス信号が連続して入力され、マイコン７は、Ａ方向の回転操作を検出し、ＴＶの表示位置にあるカーソル３１を、１０２に示すＡ方向と同一方向のＡＶアンプの表示位置へ移動させる。
【００６１】
同様の回転操作で制御しようとする被制御機器の表示位置へカーソル３１を移動させた後、入力スイッチ１１を入力操作する。ここでは、ＴＶの音量を操作することとし、メインメニューでＴＶの表示位置へカーソル３１を移動し（１０１）、入力スイッチ１１を入力操作すると、ＴＶメニューの入力モード（２０１）に液晶表示素子５の表示画面が切り替わる。カーソル３１は、メインメニューと同様にジョグダイヤル４１の回転操作方向に一致して移動し、音量を操作するために、ジョグダイヤル４１をＡ方向に回転操作し、ボリュームの表示位置にカーソル３１を移動させた状態で（２０２）、入力スイッチ１１を入力操作する。これにより、マイコン７は、ＴＶの音量を制御する制御内容が選択された制御モードに移行する。尚、ＴＶメニューを表示するいずれかの表示画面で、入力スイッチ１３を入力すると、１階層戻ったメインメニューの表示画面（１０１）へ戻る。
【００６２】
カーソル３１がボリュームの表示位置にある（２０２）ときに、入力スイッチ１１を入力操作すると、ボリューム調整の入力モード（３０１）に液晶表示素子５の表示画面が切り替わる。ボリューム調整の入力モード（３０１）では、ボリュームのＵｐ若しくはＤｏｗｎ制御の制御内容と共に、これらの制御を行うためのジョグダイヤル４１の回転操作方向が、ジョグダイヤル４１の中心側に配置された液晶表示素子５によって矢印で表示される。すなわち、制御内容（ボリュームのＵｐ若しくはＤｏｗｎ）の制御データを生成するジョグダイヤル４１の回転操作方向が、ジョグダイヤル４１の中心側で同一中心軸回りの矢印で案内されるので、操作者は、制御内容についてジョグダイヤル４１の回転操作方向を誤ることなく、回転操作することができる。ジョグダイヤル４１をＡ方向へ回転操作するとＴＶへ音量を下げる制御制御データがＴＶに送信され、Ａ方向の回転角度に応じて、音量が減少するとともに、音量を表示する黒三角マークが減少する表示に移行する（３０２乃至３０４）。また、ジョグダイヤル４１をＢ方向へ回転操作するとＴＶへ音量を上げる制御が行われ、Ｂ方向の回転角度に応じて、音量が増大するとともに、音量を表示する黒三角マークが増加する表示に移行する（３０５乃至３０７）。
【００６３】
次に、ブラインドの遮光制御を行うものとすると、図８の１０１で示すメインメニューから、ジョグダイヤル４１をＡ方向、Ｂ方向のいずれかに回転操作し、図９のブラインドの表示位置へカーソル３１を移動させ（１０３）、入力スイッチ１１を入力操作する。液晶表示素子５の表示画面は、ブラインドメニューの入力モード（２０３）に切り替わり、この入力モードでカーソル３１を遮光調整に移動させて、入力スイッチ１１を入力操作すると、ブラインドを開閉する方向が図示させたブラインド遮光調整の入力モード（３２０）が表示される。同時に、マイコン７は、ブラインド遮光調整を制御する制御内容が選択された制御モードに移行する。
【００６４】
ブラインド遮光調整の入力モード（３２０）では、ブラインドを側方からみた開閉状態が液晶表示素子５に表示され、この開閉方向は、ジョグダイヤル４１の回転操作によって開閉制御する方向に一致させている。すなわち、ジョグダイヤル４１をＡ方向の反時計回りに回転操作すると、ブラインドは右側から見て反時計回りに回転制御され、ブラインド間の隙間が狭まって遮光が進み、Ｂ方向の時計回りに回転操作すると、ブラインドは時計回りに回転制御され、ブラインド間の隙間が広がり採光が進む。
【００６５】
また、ジョグダイヤル４１の回転角度に比例して、ブラインドは回転制御され、ジョグダイヤル４１をＡ方向へ回転操作すると、その回転角度に応じてブラインドは左回りに回転制御され、液晶表示素子５の表示は、ブラインドが徐々に左回りに回転する表示の方向（図９の３１７から３２３の方向）に移行する。逆に、Ｂ方向に回転操作すると、その回転角度に応じてブラインドは右回りに回転制御され、液晶表示素子５の表示は、ブラインドが徐々に右回りに回転する表示の方向（図９の３２３から３１７の方向）に移行する。
【００６６】
本実施の形態に係るジョグダイヤル４１は、ケース２の平面の輪郭全体を覆う大きさで、多数の動作突起１９ａを中心軸回りに等角度間隔で取り付けることができるとともに、外径が長い大型のジョグダイヤル４１とすることにより微小角度の回転操作が容易になるので、ジョグダイヤル４１の微小回転角度をマイコン７により検出して、ブラインドのきめ細かい回転制御を、液晶表示素子５にその状態を表示させながら、行うことができる。
【００６７】
上述の各実施の形態では、ケース２に１種類のジョグダイヤル４１が回転自在に取り付けられているが、同一中心軸周りに、それぞれ回転方向を検出できる２種類以上のジョグダイヤルを回転自在に取り付け、制御内容や被制御機器に応じて２種類のジョグダイヤルの回転操作を使い分けるようにしてもよい。例えば、２種類のジョグダイヤルを同一回転角度で回転操作した際に、被制御機器を異なる回転角度で制御する制御データを生成させて、２種類のジョグダイヤルの回転操作で高速制御と、微調整制御に分けて制御することもできる。
【００６８】
また、ジョグダイヤルの回転操作面にＬＥＤ等の発光表示手段を取り付け、発光表示手段の点灯若しくは消灯で、選択された特定の制御内容を表すようにしてもよい。
【００６９】
更に、上記発光表示手段若しくは別の表示手段からなるガイド表示手段をジョグダイヤルに取り付け、液晶表示素子に表示される制御内容で被制御機器を制御する為のジョグダイヤルの回転操作方向を、ガイド表示手段による表示で案内してもよい。
【００７０】
更に、回転操作する操作部は、必ずしもジョグダイヤルのように円環状に形成する必要はなく、回転中心軸側に開口を設けず、ケース２の平面全体を覆う形状としてもよい。
【産業上の利用可能性】
【００７１】
本発明は、円環状操作部の回転操作により、被制御機器を制御するリモートコントロール送信機に適している。
【図面の簡単な説明】
【００７２】
【図１】本発明の一実施の形態に係るリモートコントロール送信機１の斜視図である。
【図２】リモートコントロール送信機１の縦断面図である。
【図３】リモートコントロール送信機１の各部を上方から見た分解斜視図である。
【図４】リモートコントロール送信機１の各部を下方から見た分解斜視図である。
【図５】大径円板部２２のリングガイド部を示す要部拡大斜視図である。
【図６】リモートコントロール送信機１の回路構成を示すブロック図である。
【図７】リモートコントロール送信機１の使用状態を示す斜視図である。
【図８】ＴＶの音量制御の際に液晶表示素子５に表示される表示を示す説明図である。
【図９】ブラインドの遮光制御の際に液晶表示素子５に表示される表示を示す説明図である。
【符号の説明】
【００７３】
１      リモートコントロール送信機
２      ケース（筐体）
４      円環状操作部
６      液晶表示素子（表示部）
７      マイコン（操作信号生成手段）
８      ＲＦ通信モジュール（送信手段）
９      レバー式検出スイッチ（回転検出手段）
１１    入力スイッチ
１２    入力スイッチ
１３    入力スイッチ
１７    ボール（第２リングガイド部）
２１    小径円板部
２１ｂ  ガイド片２１ｂ（第１リングガイド部）
２２    大径円板部
２６    下ガイド溝（第２リングガイド部）
４１    ジョグダイヤル
４１ａ  中心開口（中心側開口）